(57)【特許請求の範囲】
【請求項１】
遊技球が流下する遊技領域を前面に有した遊技板と、
前記遊技領域に配され、側方に向かって開口した入賞口を有する入賞装置と、
前記入賞装置内の遊技球の通路を前方から覆う前方カバー壁と、
前記入賞口の下側開口縁近傍に回動中心を有し、その回動中心より上側部分が前記入賞口から離れる側に傾いた開状態になって遊技球を前記入賞口に誘導する一方、その開状態から起きる側に回動して閉状態になり、前記入賞口への遊技球の入球を規制する開閉扉とを備えた遊技機であって、
前記前方カバー壁の前記入賞口側の外縁には、鉛直方向に対して前記開状態の前記開閉扉の上面であるガイド面と反対側に傾斜して、前記開閉扉が前記開状態から前記閉状態へ回動するにつれて、前記ガイド面との交差部分が前記開閉扉の回動中心から離れる側に移動する傾斜部が備えられ、
前記入賞装置には、前記入賞口の上側開口縁から張り出し、前記開状態の前記開閉扉に上方から対向し、前記閉状態の前記開閉扉の先端部との間に、遊技球の直径の１／４以上、直径未満の間隔が設けられた上側カバー壁が備えられ、
前記入賞口の上側開口縁側には開口上側内面を有し、
前記開口上側内面と、前記傾斜部と、前記閉状態の前記開閉扉と、の間に生じる空間が遊技球半球分以上１球分未満である遊技機。
【発明の詳細な説明】
【技術分野】
【０００１】
本発明は、入賞用突部に設けられた入賞口が開閉扉により開閉される遊技機に関する。
【背景技術】
【０００２】
従来、この種の遊技機として、入賞用突部に前方カバー壁が設けられているものが知られている（例えば、特許文献１参照）。
【先行技術文献】
【特許文献】
【０００３】
【特許文献１】特開２０１６−０２６８２３号公報（段落［００４８］、図３）
【発明の概要】
【発明が解決しようとする課題】
【０００４】
上述した従来の遊技機においては、前方カバー壁と開閉扉との間で球詰まりが生じ得るという問題があった。
【０００５】
本発明は、上記事情に鑑みてなされたもので、従来よりも球詰まりの発生を抑えることが可能な遊技機の提供を目的とする。
【課題を解決するための手段】
【０００６】
上記目的を達成するためになされた請求項１の発明は、遊技球が流下する遊技領域を前面に有した遊技板と、前記遊技領域に配され、側方に向かって開口した入賞口を有する入賞装置と、前記入賞装置内の遊技球の通路を前方から覆う前方カバー壁と、前記入賞口の下側開口縁近傍に回動中心を有し、その回動中心より上側部分が前記入賞口から離れる側に傾いた開状態になって遊技球を前記入賞口に誘導する一方、その開状態から起きる側に回動して閉状態になり、前記入賞口への遊技球の入球を規制する開閉扉とを備えた遊技機であって、前記前方カバー壁の前記入賞口側の外縁には、鉛直方向に対して前記開状態の前記開閉扉の上面であるガイド面と反対側に傾斜して、前記開閉扉が前記開状態から前記閉状態へ回動するにつれて、前記ガイド面との交差部分が前記開閉扉の回動中心から離れる側に移動する傾斜部が備えられ、前記入賞装置には、前記入賞口の上側開口縁から張り出し、前記開状態の前記開閉扉に上方から対向し、前記閉状態の前記開閉扉の先端部との間に、遊技球の直径の１／４以上、直径未満の間隔が設けられた上側カバー壁が備えられ、前記入賞口の上側開口縁側には開口上側内面を有し、前記開口上側内面と、前記傾斜部と、前記閉状態の前記開閉扉と、の間に生じる空間が遊技球半球分以上１球分未満である遊技機である。
【０００７】
請求項１の遊技機では、前方カバー壁の入賞口側の外縁と開閉扉との間に挟まれた遊技球が傾斜部に沿って入賞口の奥側に向かって移動しやすくなるので、球詰まりの発生が防がれる。
【図面の簡単な説明】
【００１２】
【図１】本発明の一実施形態に係る遊技機の正面図
【図２】遊技板の正面図
【図３】入賞用突部の正面斜視図
【図４】入賞用突部の背面斜視図
【図５】開状態の入賞口付近の拡大断面図
【図６】（Ａ）閉状態の開閉扉付近の斜視図、（Ｂ）開状態の開閉扉付近の斜視図
【図７】閉状態の入賞口付近の拡大正面図
【図８】従来の遊技機における入賞口付近の拡大図
【図９】入賞口付近の拡大図
【図１０】変形例に係る開状態の入賞口付近の拡大断面図
【発明を実施するための形態】
【００１３】
以下、本発明の一実施形態を図１〜９に基づいて説明する。図１に示した本発明の「遊技機」としてのパチンコ遊技機１０（以下、「遊技機１０」という）は、前面が前面枠１０Ｚに覆われ、前面枠１０Ｚに形成されたガラス窓１０Ｗを通して遊技板１１の遊技領域Ｒ１が視認可能となっている。
【００１４】
図２に示すように、遊技板１１のうち遊技領域Ｒ１の中央には、表示開口１１Ｈが貫通形成されており、その表示開口１１Ｈを囲むように表示装飾枠２３が取り付けられている。表示装飾枠（装飾枠）２３は、側方に張り出したフランジ４０を備えていて、このフランジ４０を遊技板１１の前面に重ねた状態にしてビスで遊技板１１に固定されている。
【００１５】
さて、本実施形態の遊技機１０には、表示装飾枠２３の右横に、本発明に係る入賞口３０が備えられている。入賞口３０は、常には開閉扉３５により閉鎖されていて（図７参照）、図２に示す始動ゲート１８の内側を遊技球が通過したときに行われる普通図柄当否判定の結果が当りになったときに、開閉扉３５が側方へ倒れて開放され、遊技球が入球可能となる。以下、入賞口３０周辺について詳説する。
【００１６】
図２に示すように、表示装飾枠２３における右下部分には、遊技板１１の前面に重なり、表示装飾枠２３の内縁から右下方へ膨出したベース部２４が形成されている。ベース部２４には、遊技板１１の前面から遊技球１球分以上２球分未満突出した入賞用突部３３（本発明の「入賞装置」に相当する）が備えられ、この入賞用突部３３に、右側方に向けて開口した入賞口３０が配されている。
【００１７】
図３及び図４に示すように、入賞用突部３３は、ベース部２４から前方に離れた位置に配された前方カバー壁３４と、前方カバー壁３４から後方に突出して、入賞口３０から入球した遊技球を遊技板１１の裏側へ排出するための誘導路２８を構成する誘導路構成壁３３Ｙとを備えている。誘導路構成壁３３Ｙは、入賞口３０の上側開口縁部から左方へ延びた後、湾曲して下方へ延びる第１構成壁３３Ｓと、入賞口３０の下側開口縁部から左方へ延びた後、下方へ延びる第２構成壁３３Ｔと、を有している。第１構成壁３３Ｓと第２構成壁３３Ｔとの下端同士は、Ｕ字状をなして連結している。これにより、誘導路２８は、入賞口３０から左方へ延びた後、垂直下方へ延びた形状をなしていて（図５参照）、その下端部に、遊技球を遊技板１１の後ろ側へ取り込む取込口（図示せず）が配されている。なお、第１構成壁３３Ｓの右端部は、その左方部よりも急傾斜な急傾斜部３３Ｕになっている。また、第２構成壁３３Ｔの左右方向に延びている部分は、左下がりになっていて、かつ、段差を有している（図５参照）。なお、本実施形態の入賞口３０は遊技球２球が通過可能な幅を有している。
【００１８】
また、入賞用突部３３には、第２構成壁３３Ｔの右方に、第２構成壁３３Ｔの右端部との間に隙間Ｋを有する状態で配された外側ブロック３６が備えられている。外側ブロック３６は、第２構成壁３３Ｔの右端部から右下方に離れた位置から右下がりに延びた第１傾斜面３６Ａと、第１傾斜面３６Ａの右端から左下がりに延びて入賞用突部３３の外縁の一部をなす第２傾斜面３６Ｂと、第１傾斜面３６Ａと第２傾斜面３６Ｂとの左端同士を連絡する連絡面３６Ｃと、を有している。
【００１９】
上述した隙間Ｋには、前方カバー壁３４からベース部２４の後方まで延びた金属製の軸部材（シャフト）３５Ｊが配されている。そして、この軸部材３５Ｊに開閉扉３５の下端部が嵌合されていて、軸部材３５Ｊの回転に合わせて開閉扉３５が回転するように構成されている。
【００２０】
詳細には、図６（Ａ）及び図６（Ｂ）に示すように、開閉扉３５は、ベース部２４の後方に配されたソレノイド４５と、軸部材３５Ｊ及び連結部４６を介して連結され、かつ、引張バネ４７によって起立姿勢に付勢されている（図６（Ａ）参照）。そして、ソレノイド４５に通電されると、引張バネ４７の付勢力に抗い、図６（Ｂ）に示すように、開閉扉３５が右側に倒された横倒れ姿勢になり、ソレノイド４５への通電が停止されると、引張バネ４７によって起立姿勢に戻される。
【００２１】
開閉扉３５には、誘導路２８側に、平坦に延びたガイド面３５Ａが備えられ、その反対側に、丸みを帯びて外側に膨らんだ形状の外部膨出面３５Ｂが備えられている。また、開閉扉３５が起立姿勢になった状態は、本発明の開閉扉３５の閉状態に相当する（図７参照）。図７に示すように、閉状態の開閉扉３５の先端部と急傾斜部３３Ｕとの間には、遊技球の直径の１／４以上、直径未満の間隔（隙間）Ａが空いている。開閉扉３５が横倒れ姿勢になった状態は、本発明の開閉扉３５の開状態に相当する（図５参照）。開閉扉３５が開状態になると、ガイド面３５Ａが第２構成壁３３Ｔの右端部上面（本発明の「開口下側内面」に相当する）と略面一になる。
【００２２】
なお、図５に示すように、開閉扉３５のうち軸部材３５Ｊの下方部分にはストッパ３５Ｓが形成されていて、このストッパ３５Ｓが入賞用突部３３の連絡面３６Ｃに当接することで開閉扉３５が閉状態に位置決めされ、ストッパ３５Ｓが第２構成壁３３Ｔの右端部下面に当接することで開閉扉３５が開状態に位置決めされる。
【００２３】
上述したように、入賞用突部３３には、前方カバー壁３４が備えられている。前方カバー壁３４は、ベース部２４から遊技球１球分以上２球分未満離れた位置で誘導路２８を前方から覆い、かつ、ガラス窓１０Ｗと僅かな隙間を空けた状態で対向している。ここで、本実施形態の遊技機１０では、前方カバー壁３４のうち入賞口３０側端部が、入賞口３０の下側開口縁近傍から上方へ延び、かつ、上方へ向かうにつれて閉状態の開閉扉３５から離れるように誘導路２８の奥側に向かって傾斜した傾斜部３４Ｌとなっている。詳細には、傾斜部３４Ｌは、軸部材３５Ｊの右上方位置から第１構成壁３３Ｓにおける急傾斜部３３Ｕの左端部まで左上がりに傾斜している。
【００２４】
また、図７に示すように、傾斜部３４Ｌと、急傾斜部３３Ｕと、閉状態の開閉扉３５と、の間には、略三角形状の空間（隙間）Ｎが設けられている。この空間Ｎは、遊技球０．５球分以上１球分未満の大きさである。このように構成することで、傾斜部３４Ｌと、急傾斜部３３Ｕと、閉状態の開閉扉３５と、の間に遊技球が収まる（挟まる）ことが無くなり、遊技球を誘導路内に誘導しやすくなる。また、傾斜部３４Ｌの端面は、前方から後方へ向かうにつれて誘導路２８の奥側に向かうテーパー面Ｂ（本発明の「傾斜面」に相当する）となっている（図４及び図９参照）。
【００２５】
本実施形態の遊技機１０の構成に関する説明は以上である。次に、本実施形態の遊技機１０の作用・効果について説明する。上述したように、入賞口３０は、常には開閉扉３５により閉鎖されている。そして、始動ゲート１８の内側を遊技球が通過したときに行われる普通図柄当否判定の結果が当りになったときに、開閉扉３５が側方へ倒れて開放され、遊技領域Ｒ１を流下する遊技球の一部が入賞口３０へ入球する。
【００２６】
ところで、従来の遊技機では、開閉扉によって開閉される入賞口付近で球詰まりが起こることがあった。この球詰まりは、図８に示すように、入賞口１へ向かう遊技球が、開閉扉２と、ガラス窓３と、前方カバー壁４との３点に支持された状態で、入賞口１側へ付勢された開閉扉２により前方カバー壁４へ押し付けられて遊技球へ力がバランスよくかかり挟持されることにより発生すると考えられる。
【００２７】
これに対し、本実施形態の遊技機１０では、前方カバー壁３４の入賞口３０側の端部が、上方へ向かうにつれて閉状態の開閉扉３５から離れるように誘導路２８の奥側（下流側）に向かって傾斜した傾斜部３４Ｌとなっているため、遊技球が入賞口３０へ向かう途中で開閉扉３５が閉状態へ向けて回動し、その遊技球が開閉扉３５により前方カバー壁３４側へ押し付けられたとしても、遊技球が挟持されることなく傾斜部３４Ｌに沿って誘導路２８の奥側へ移動するため、移動に伴って球の位置が崩れやすくなり、球詰まりの発生を防ぐことができる。さらに、傾斜部３４Ｌの端面がテーパー面Ｂになっているため、遊技球がベース部２４側へ流れやすくなり、球詰まりの発生がより防がれる。
【００２８】
また、開閉扉３５が開状態に近い程引張バネ４７の付勢力が強くなり、開閉扉３５が閉状態に近い程引張バネ４７の付勢力が弱くなると考えられ、かつ、開閉扉３５にかかる付勢力が同じである場合、開閉扉３５の軸部材側が遊技球を押し込む力の方が開閉扉３５の先端側が遊技球を押し込む力よりも強くなると考えられる。このため、開閉扉３５が開状態から閉状態になる際、開閉扉３５が開状態に近く、開閉扉３５の軸部材３５Ｊ側部分と前方カバー壁３４との間に遊技球が挟まれた場合に特に、遊技球が前方カバー壁３４と開閉扉３５との間に挟持されやすくなるが、上述したように、前方カバー壁３４に傾斜部３４Ｌが設けられているため、遊技球はこの傾斜部３４Ｌに沿って左上方へ移動し、開閉扉３５の先端側に誘導される。そして、開閉扉３５が閉状態に近づき、引張バネ４７の付勢力が弱まるため、及び/又は、遊技球が開閉扉３５の軸部材側から先端側に移動し、遊技球を押し込む力が弱まるため、開閉扉３５が遊技球を前方カバー壁３４側へ押し付ける力が弱まり、遊技球の支持関係（バランス）が崩れやすくなり、遊技球が誘導路２８へ入りやすくなる。さらに、傾斜部３４Ｌの端面がテーパー面Ｂになっているため、遊技球の支持関係（バランス）がより崩れやすくなり、遊技球が誘導路２８へより流下しやすく構成されている。
【００２９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３０】
（１）上記実施形態では、閉状態の開閉扉３５の先端部と急傾斜部３３Ｕとの間に隙間が設けられていたが、隙間が設けられていなくてもよい。
【００３１】
（２）上記実施形態では、傾斜部３４Ｌの端面がテーパー面になっていたが、前方カバー壁３４の前面と直交していてもよい。
【００３２】
（３）上記実施形態では、入賞口３０が表示装飾枠２３の右側に配されていたが、左側に配されていてもよい。
【００３３】
（４）上記実施形態では、入賞口３０が、表示装飾枠２３に設けられていたが、これに限られるものではなく、例えば、遊技領域Ｒ１の外縁部側に入賞装置（入賞用突部）を備え、その入賞装置（入賞用突部）に入賞口及び傾斜部等が設けられる構成であってもよい。
【００３４】
（５）上記実施形態では、引張バネ４７によって付勢された開閉扉３５がソレノイド４５によって駆動される構成であったが、例えば、モーターにより駆動される構成であってもよい。
【００３５】
（６）上記実施形態では、入賞口３０が、普通図柄当否判定の結果により開放される所謂「始動入賞口」であったが、始動入賞口への入賞に起因して行われる特別図柄当否判定の結果により開放される所謂「特別入賞口（大入賞口）」であってもよい。
【００３６】
（７）上記実施形態では、前方カバー壁３４が、傾斜部３４Ｌが急傾斜部３３Ｕの左端部まで延びた形状になっていたが、図１０に示すように、傾斜部３４Ｌが急傾斜部３３Ｕの左端部の手前位置までしか延びず、傾斜部３４Ｌの上端と急傾斜部３３Ｕの右端部とを結ぶ逆傾斜部３４Ｍを有する形状になっていてもよい。
【符号の説明】
【００３７】
１０    パチンコ遊技機（遊技機）
１０Ｗ    ガラス窓
１１    遊技板
１４Ｊ    シャフト
２４    ベース部
２８    誘導路
３０    入賞口
３３    入賞用突部（入賞装置）
３３Ｕ    急傾斜部
３３Ｙ    誘導路構成壁
３４    前方カバー壁
３４Ｌ    傾斜部
３５    開閉扉
４５    ソレノイド
４７    引張バネ
【図１】
0006769621.tif 000002
【図２】
0006769621.tif 000003
【図３】
0006769621.tif 000004
【図４】
0006769621.tif 000005
【図５】
0006769621.tif 000006
【図６】
0006769621.tif 000007
【図７】
0006769621.tif 000008
【図８】
0006769621.tif 000009
【図９】
0006769621.tif 000010
【図１０】
0006769621.tif 000011